(57)【要約】【課題】微小波形及び線形構造の波形アンテナ１に高利得小型化する構造を用いることで、携帯型無線機に使用することができる新たな高周波用アンテナを製作する。【解決手段】携帯型無線機に共鳴する長さの利得の上がりきっていない中利得の波形アンテナ１をアンテナ利得が高まる間隔で螺旋状に巻き、高利得の波形螺旋アンテナとする。また、中利得の波形アンテナ１をアンテナ利得が高まる間隔で密に螺旋状に巻いた利得の高い短縮型波形螺旋アンテナとする。【選択図】  図６
2005160047.tif 000002
【特許請求の範囲】
【請求項１】
中利得の波形アンテナ１をアンテナ利得が高まる間隔で螺旋状に巻いた波形螺旋アンテナ。
【請求項２】
筒状の絶縁体３の外側に請求項１の波形螺旋アンテナを巻いたもの。
【請求項３】
筒状の絶縁体２の内側に請求項１の波形螺旋アンテナを巻いたもの。
【請求項４】
複数対のガイドレール４を筒状の絶縁体３の外側に凸に設置して、対のガイドレール４の間に請求項１の波形螺旋アンテナを通して安定して筒状の絶縁体３の外側に巻いたもの。
【請求項５】
複数対のガイドレール４を筒状の絶縁体２の内側に凸に設置して、対のガイドレール４の間に請求項１の波形螺旋アンテナを通して安定して筒状の絶縁体２の内側に巻いたもの。
【請求項６】
中利得の波形アンテナ１をアンテナ利得が高まる間隔で密に螺旋状に巻いた短縮型波形螺旋アンテナ。
【請求項７】
筒状の絶縁体３の外側に請求項６の短縮型波形螺旋アンテナを巻いたもの。
【発明の詳細な説明】
【技術分野】
【０００１】
本発明は中利得の波形アンテナ１を使用した携帯型無線アンテナに関するものである。
【背景技術】
【０００２】
従来、携帯型無線機は受信待機時にアンテナを収納し、受信時にアンテナを伸張するモノポールアンテナとヘリカルアンテナが組み合わさったホイップアンテナが使用されていた。モノポールアンテナが使用されているアンテナはアンテナ全長が長くなるという欠点がある。
【特許文献１】特開平１０−０９８３２０号公報
【発明の開示】
【発明が解決しようとする課題】
【０００３】
解決しようとする問題点は、波形アンテナ１を用いて携帯型無線機に使用することができる高利得で小型なアンテナを製作することである。
【課題を解決するための手段】
【０００４】
携帯型無線機に共鳴する長さのアンテナ利得の上がりきっていない中利得の波形アンテナ１をアンテナ利得が高まる間隔で螺旋状に巻いて高利得の波形螺旋アンテナとする。また、隣り合う波形アンテナ１が接するような、アンテナ利得が高まる間隔で密に中利得の波形アンテナ１を螺旋状に巻いて、短縮型波形螺旋アンテナとする。また、波形螺旋アンテナ自体でアンテナ強度を保てない場合、対のガイドレール４を複数設置した筒状の絶縁体２または絶縁体３を用いて波形螺旋アンテナの強度を保つものとする。
【発明の効果】
【０００５】
微小な波形構造の利得の上がりきっていない中利得の波形アンテナ１をアンテナ利得が高まる間隔で螺旋状に巻くことで、波形螺旋アンテナはモノポールアンテナよりアンテナ全長が短く利得の高いアンテナとなる。また、隣り合う波形アンテナ１が接するような、アンテナ利得が高まる間隔で密に中利得の波形アンテナ１を螺旋状に巻くことで、波形螺旋アンテナよりさらに全長が短いアンテナ利得の高い短縮型の波形螺旋アンテナとすることが出来る。
【発明を実施するための最良の形態】
【０００６】
波形アンテナ１は微小な波形構造を用いることで、これ以上アンテナ利得の上がらない高利得の波形アンテナ１とすることが出来るが、高利得の波形アンテナ１は新たに構造を加えるとアンテナ利得が下がるため、波形螺旋アンテナの材料としてはアンテナ利得の上がりきっていない中利得の波形アンテナ１を用いる。中利得の波形アンテナ１を用いてアンテナ利得が高まる間隔で螺旋状に巻くことで、高利得で小型の波形螺旋アンテナとなる。
【０００７】
波形螺旋アンテナに用いる波形アンテナ１は複数芯または単芯の導線、帯状の導体からなるものを使用することができる。帯状の導体の波形アンテナ１を使用した波形螺旋アンテナは波形アンテナ１の振幅方向が螺旋の中心軸を通るように螺旋を巻くとことが出来る。また、単芯の導線および複数芯の導線を用いた場合、波形アンテナ１の振幅方向が螺旋の中心軸を通るように螺旋を巻くとことが出来るが、波形振幅に垂直方向が螺旋の中心軸を通るように螺旋を巻くとことも出来る。
【０００８】
波形アンテナ１に用いる導体は絶縁体で被服することで、強度を保つことができる波形アンテナ１とすることが出来るが、波形アンテナ１に螺旋構造を加えて波形螺旋アンテナとする場合、螺旋構造においてアンテナ強度を保つことが出来るので、筒状や棒状の絶縁体被服のない波形アンテナ１も使用することが出来る。
【０００９】
波形螺旋アンテナ自体でアンテナ強度が保つことが出来ない場合、必要に応じて螺旋構造に沿った角度の対のガイドレール４を複数用いて筒状の絶縁体３の外側または筒状の絶縁体２の内側に安定して設置する。また、波形螺旋アンテナ自体でアンテナ強度が保つことが出来る場合、筒状の絶縁体２または絶縁体３を用いない波形螺旋アンテナとして使用することが出来る。
【００１０】
縒りのかかった直径０．５ミリの１０芯導線をモジュール０．５ミリのインボリュート平歯車を用いて、微小な波形構造の導体に圧縮加工することで、モノポールアンテナの約７割の長さの利得の上がりきっていない中利得の波形アンテナ１となる。その中利得の波形アンテナ１を微小な波形振幅が螺旋の中心軸を通るように、直径４ミリの絶縁体３に螺旋間隔約１０ミリで巻くと、モノポールアンテナの約５割の長さの高利得の波形螺旋アンテナとなる。
【００１１】
波形螺旋アンテナはアンテナ利得上がりきってない中利得の波形アンテナ１を用いて、螺旋状に巻くことでモノポールアンテナの長さの約５割の高利得の波形螺旋アンテナとすることが出来る。高利得の波形螺旋アンテナの螺旋間隔を狭くするにつれてアンテナ利得は低下するが、隣り合う波形アンテナ１が接するような密な間隔になると、アンテナ利得が一時的に高くなる。高利得の波形螺旋アンテナよりもアンテナ利得は低いが、利得の高い短縮型の波形螺旋アンテナとなるので、このアンテナ利得が高くなる密な螺旋間隔を用いて短縮型波形螺旋アンテナとすることが出来る。また、短縮型波形螺旋アンテナよりさらに螺旋間隔を狭くするとアンテナ利得は低下する。
【００１２】
縒りのかかった直径０．５ミリの１０芯導線をモジュール０．５ミリのインボリュート平歯車を用いて、微小な波形構造の導体に圧縮加工することで、モノポールアンテナの約７割の長さの利得の上がりきっていない中利得の波形アンテナ１となる。全長約７０ミリの中利得の波形アンテナ１を微小な波形の振幅方向が螺旋の中心軸を通るように、直径４ミリの絶縁体３に螺旋間隔約１．５ミリで巻くと、全長約７ミリの利得の高い短縮型波形螺旋アンテナとなる。
【図面の簡単な説明】
【００１３】
【図１】波形アンテナ１を螺旋状に巻いた平面図である。
【図２】波形アンテナ１を螺旋状に絶縁体３に巻いた本発明の平面図である。
【図３】波形アンテナ１を螺旋状に巻いて絶縁体２で被覆した本発明の平面図である。
【図４】波形アンテナ１をガイドレール４が設置された絶縁体３の外側に螺旋状に巻いた本発明の平面図である。
【図５】波形アンテナ１をガイドレール４が設置された絶縁体２の内側に螺旋状に巻いた本発明の平面図である。
【図６】波形アンテナ１を密に螺旋状に巻いた本発明の斜視図である。
【図７】波形アンテナ１を絶縁体３の外側に密に螺旋状に巻いた本発明の斜視図である。
【符号の説明】
【００１４】
１波形アンテナ
２絶縁体
３絶縁体
４ガイドレール
【図１】
2005160047.tif 000003
【図２】
2005160047.tif 000004
【図３】
2005160047.tif 000005
【図４】
2005160047.tif 000006
【図５】
2005160047.tif 000007
【図６】
2005160047.tif 000008
【図７】
2005160047.tif 000009